(57)【要約】【課題】  光源から発生する熱を効率よく放熱し、かつ柔軟性にも優れているため組立性、調整性にも優れている光ピックアップを提供する。【解決手段】  光ピックアップ１００は、光ビームを出射する光源１と、光源１から出射された光ビームを情報記録媒体の表面に集光する対物レンズ１１と、光源１が表面に搭載された光源ユニット２と、光源１から発生した熱を放熱するための複数の貫通穴を有しており、光源ユニット２の背面に対向するように設けられた放熱板４と、複数の貫通穴の一部を通って放熱板４の両面に形成された弾性部材５とを具備しており、弾性部材５は、光源１から発生した熱を放熱板４へ伝導するために光源ユニット２の背面に当接するように形成されている。【選択図】  図２
2005078778.tif 000002
【特許請求の範囲】
【請求項１】
光ビームを出射する光源を表面に載置した光源ユニットと、
前記光源から出射された前記光ビームを情報記録媒体の表面に集光する対物レンズと、
前記光源ユニットの背面に対向配設した複数の貫通孔を備える放熱板と、
前記複数の貫通孔の内前記光源ユニットの背面部分に対向配設する貫通孔の少なくとも一部、及び前記放熱板と前記光源ユニットの背面との界面に接着剤を有することを特徴とする光ピックアップ。
【請求項２】
前記光源から出射した前記光ビームが、前記情報記録媒体の情報層で反射された反射光を受光する受光素子を、前記光源ユニットの表面にさらに備える、請求項１記載の光ピックアップ。
【請求項３】
前記接着剤は、常温硬化性を有する、請求項１記載の光ピックアップ。
【請求項４】
前記接着剤は、弾性を有する、請求項１または３の何れかに記載の光ピックアップ。
【請求項５】
前記接着剤は、熱伝導性を有する、請求項１、３または４の何れかに記載の光ピックアップ。
【請求項６】
前記光源ユニットを保持する保持部材を介して固定する基台と前記放熱板とを締結する締結手段をさらに具備する、請求項１記載の光ピックアップ。
【請求項７】
前記複数の貫通孔は、前記放熱板の全面に形成されている、請求項１記載の光ピックアップ。
【請求項８】
請求項１〜７の何れかに記載の光ピックアップの製造方法であって、
前記光源ユニットの背面部分に当接する前記放熱板の複数の貫通孔の少なくとも一部に接着剤を付着する工程を包含することを特徴とする光ピックアップの製造方法。
【発明の詳細な説明】
【技術分野】
【０００１】
本発明は、情報媒体の情報層に光学的に情報の記録、再生を行う光ピックアップ装置およびその製造方法に関するものである。
【背景技術】
【０００２】
従来の光ピックアップ装置としては、光源ユニットを基台に対して支持固定すると共に、光源ユニットに搭載されたレーザー素子から発生する熱を基台に伝導させる弾性部材を具備したものがあった（例えば、特許文献１参照）。
【０００３】
図７は、前記特許文献１に記載された従来の光ピックアップ９０を模式的に示す図である。図７において、光ビーム１０７を出射するレーザー素子１０１はヒートシンク１０３に搭載され、光源ユニット１０４を構成している。レーザー素子１０１より出射する光ビーム１０７は対物レンズ１０２によって図示しない光ディスク盤面上に照射される。光源ユニット１０４は弾性部材１０６のバネ性によって基台１０５に支持固定される。光源ユニット１０４に内蔵されるレーザー素子１０１が光ビーム１０７を出射することに基づき発生する熱は、ヒートシンク１０３、弾性部材１０６を介して基台１０５に伝導する機能を有していた。
【０００４】
図８は、特開平１１−２５４８９号公報（特許文献２）に開示された従来の他の光ピックアップの構成を示す図である。この光ピックアップは、可撓性基板６１を備えている。可撓性基板６１は、図８に示すように折り曲げられている。可撓性基板６１には、ホログラムユニット６２が設けられている。ホログラムユニット６２を覆うようにホルダ６４が設けられている。ホルダ６４には、ホログラムユニット６２から出射された出射光を通すための開口６４ａが形成されている。
【０００５】
可撓性基板６１は、レーザー素子を高周波駆動またはレーザー素子への戻り光によるノイズを低減する高周波重畳モジュールを搭載する高周波重畳回路搭載面６１ｃと、ホログラムユニット６２が搭載された面と高周波重畳回路搭載面６１ｃとをつなぐように形成されたブリッジ部６１ｄとを有している。ブリッジ部６１ｄの上には、可撓性基板６１を挟んでホログラムユニット６２と対向するように放熱部材６６が設けられている。
【０００６】
放熱部材６６とブリッジ部６１ｄと高周波重畳回路搭載面６１ｃとを覆うようにシールドケースが設けられている。
【特許文献１】特開２００２−１５４５１号公報
【特許文献２】特開平１１−２５４８９号公報
【発明の開示】
【発明が解決しようとする課題】
【０００７】
しかしながら前記した特許文献１に開示の構成では、光源ユニット１０４と基台１０５との取り付けは、弾性部材１０６の凹部１０６ａと一対の股部１０６ｂとの間でのバネ付勢力であるため、例えば光源ユニット１０４から出射する光ビーム１０７と対物レンズ１０２とを光軸調整した後、弾性部材１０６で光源ユニット１０４を基台１０５に固定すると、調整した光軸にずれが生じ易く、凹部１０６ａと股部１０６ｂとは平坦部１０６ｃによって連接し、しかも光源ユニット１０４の背面と股部１０６ｂとが面状で係合しているため、弾性部材１０６で挟持させた後、再度光軸調整しようとしても光軸ユニット１０４のみの移動は事実上不可能であるため、取り付けバラツキが大きいという課題がある。
【０００８】
また、弾性部材１０６の股部１０６ｂと凹部１０６ａとを介して光源ユニット１０４の背面から基台１０５への放熱を行っているため、熱伝導部分の接触面積が小さくなり効率よく放熱することができないという課題を有していた。
【０００９】
このように、特許文献１に開示の放熱構成の課題を解消するためには、光源ユニット１０４から出射する光ビーム１０７と対物レンズ１０２との光軸を調整することを可能とするとともに、光源ユニット１０４から発生する熱を効率よく放熱する必要がある。
【００１０】
ところで、情報記録媒体の情報層に光学的に情報を記録または再生するためには、情報を記録または再生するための光ピックアップを薄型化する必要がある。
【００１１】
そして図８を参照して前述した特許文献２に開示の構成では、放熱部材６６とホログラムユニット６２との間に可撓性基板６１が設けられているため、ホログラムユニット６２から発生して放熱部材６６へ向かう熱が可撓性基板６１によって遮断される。このため、ホログラムユニット６２から発生した熱を放熱部材６６によって効率よく放熱することができないという問題がある。
【００１２】
本発明は、光源から発生する熱を効率よく放熱し、かつ柔軟性にも優れているため組立性、調整性にも優れている光ピックアップおよびその製造方法を提供することを目的とする。
【課題を解決するための手段】
【００１３】
本発明に係る光ピックアップは、光ビームを出射する光源を表面に載置した光源ユニットと、前記光源から出射された前記光ビームを情報記録媒体の表面に集光する対物レンズと、前記光源ユニットの背面に対向配設した複数の貫通孔を備える放熱板と、前記複数の貫通孔の内前記光源ユニットの背面部分に対向配設する貫通孔の少なくとも一部、及び前記放熱板と前記光源ユニットの背面との界面に接着剤を有することを特徴とする。
【００１４】
本発明に係る光ピックアップの製造方法は、前記光源ユニットの背面部分に当接する前記放熱板の複数の貫通孔の少なくとも一部に接着剤を付着する工程を包含することを特徴とする。
【発明の効果】
【００１５】
以上のように本発明によれば、光源から発生する熱を効率よく放熱し、かつ柔軟性にも優れているため組立性、調整性にも優れている光ピックアップおよびその製造方法を提供することができる。
【発明を実施するための最良の形態】
【００１６】
本実施の形態に係る光ピックアップにおいては、放熱板に形成された複数の貫通孔の一部を通って放熱板の両面に形成された弾性部材が、光源から発生した熱を放熱板へ伝導するために光源ユニットの背面に当接するように形成されている。このため、光源から発生した熱を放熱板を通して効率よく放熱することができる。
【００１７】
この実施の形態では、前記光源から出射した前記光ビームが、前記情報記録媒体の情報層で反射された反射光を受光する受光素子を、前記光源ユニットの表面にさらに備えることが好ましい。
【００１８】
前記接着剤は、常温硬化性を有することが好ましい。
【００１９】
前記接着剤は、弾性を有することが好ましい。
【００２０】
前記接着剤は、熱伝導性を有することが好ましい。
【００２１】
前記光源ユニットを保持する保持部材を介して固定する基台と前記放熱板とを締結する締結手段をさらに具備することが好ましい。
【００２２】
前記複数の貫通孔は、前記放熱板の全面に形成されていることが好ましい。
【００２３】
以下、図面を参照して本発明の実施の形態を説明する。
【００２４】
図１は、本実施の形態における光ピックアップ１００の構成図、図２は本実施の形態における光ピックアップ１００の分解図、図３および図４は本実施の形態における光ピックアップ１００の詳細の部分構成図である。
【００２５】
図１ないし図４を参照すると、半導体レーザーなどの光源１および受光素子１５は光源ユニット２に搭載されている。光源ユニット２は保持部材１３によって保持されており、フレキシブルプリント基板３に半田付けされている。フレキシブルプリント基板３は図示しないピックアップ回路部に接続されており、光ピックアップ１６を制御するための図示しないメイン回路に接続されている。
【００２６】
金属や、熱伝導率の高い例えばカーボン等の材料によって構成された板状の部材４は、第一の面４ａと第二の面４ｂとを繋ぐように形成された複数の貫通孔４ｃを有している。この部材４は、第一の面４ａと光源ユニット２の背面２ａとが空間を空けて対向するように配置されている。例えばシリコーン、ゴム、粘度の高いグリスといった放熱性の材料によって構成された弾性部材５は、部材４の第二の面４ｂの方向から充填され、部材４の複数の貫通孔４ｃを通って第一の面４ａに達し、さらに光源ユニット２の背面２ａに広い面積にわたって接するまで充填されている。
【００２７】
また部材４は、基台７にネジ等や接着剤等の固定部材６によって保持されている。固定部材６によって部材４を保持すると弾性部材５を通じて光源ユニット２の背面２ａに向かって押圧力が作用して、保持部材１３の面１３ａと基台７の面７ａとが密着するように構成されている。
【００２８】
光源１からの光ビーム１４を偏向する偏向ミラー８、光ビーム１４の発散光集光して平行光にするコリメートレンズ９、およびコリメートレンズ９により平行光となった光ビーム１４ａを図示しないディスクに対して鉛直に偏向する立ち上げミラー１０はそれぞれ基台７に搭載されている。対物レンズ１１を搭載した対物レンズ駆動装置１２は、基台７に調整されて搭載されている。これらの部品によって、光ピックアップ１００が構成されている。
【００２９】
ここで光源１より光ビーム１４が放射されると熱が発生する。図３を参照すると、光源１から発生した熱は弾性部材５を通って部材４へ伝導される。部材４は複数の貫通孔４ｃにより広い面積にわたって熱を伝導し、さらには固定部材６を通して基台７へと熱を伝導する。
【００３０】
次に光ピックアップ１００の動作を説明する。光源１から放射された光ビーム１４は偏向ミラー８によってコリメートレンズ９に導かれて集光し、平行光である光ビーム１４ａになり、立ち上げミラー１０によって図示しないディスクに対して鉛直に偏向され、対物レンズ１１によって集光されてディスク盤面状にスポットを形成する。ディスクに記録された情報信号は光源１から対物レンズ１１までの往路と同一光路を通り、受光素子１５によって検出される。検出された信号によって、図示しないメイン回路から光ピックアップ１００に制御をかけ、対物レンズ駆動装置１２の対物レンズ１１を搭載している部分をディスクに対して面ぶれや偏心に追従させたり、記録動作を行ったり再生動作を行ったりする。
【００３１】
ここで光源ユニット２は、対物レンズ１１によって集光されて形成するスポットの強度分布が均一となるように調整されている。対物レンズ駆動装置１２も、スポットの強度分布が均一となるよう調整されており、かつスポットのコマ収差と呼ばれる光の歪みを除去するように調整されている。
【００３２】
かかる構成によれば、光源ユニット２に対して弾性部材５を当接して部材４の第一の面４ａおよび第二の面４ｂに充填することにより、光源１から発生する熱は弾性部材５を通って部材４に伝導され、複数の貫通孔４ｃにより広い面積にわたって熱を伝導し、さらには固定部材６を通して基台７へと熱を伝導することとなる。このため、光ピックアップの光源１から発生する熱を効率よく放熱することができる。
【００３３】
またかかる構成によれば、部材４には複数の貫通孔４ｃが形成されているため、例えば放熱性の高い金属の板状であっても柔軟性があることとなり、部材４および弾性部材５を光源ユニット２に取り付けたままで最適点での調整が可能である。
【００３４】
さらにかかる構成によれば、弾性部材５は塗布後に硬化する材料または紫外線を照射すると硬化する材料であれば、調整後に硬化することにより、部材４と光源ユニット２とを固定することもできる。特に部材４は複数の貫通孔４ｃを有しているので紫外線の照射を安定して行うことができる。このため、光ピックアップの製造において紫外線を照射して硬化させる工程を備えれば、効率よく生産を行うことができる。
【００３５】
なお、本実施の形態において、部材４は弾性部材５を充填させるための複数の貫通孔４ｃを設けた図５（ａ）に示す形状の例を説明したが、本発明はこれに限定されない。複数の貫通孔４ｃは部材４の全面に形成されていてもよく、図５（ｂ）に示すような網状や図５（ｃ）に示すような部分的に拡大した貫通孔を形成しても良い。
【００３６】
また部材４と弾性部材５との構成は、弾性部材５の材料を放熱性を持った樹脂とし、部材４にモールド成形して取り付ける構成としても良い。
【００３７】
図６は、実施の形態に係る他の光ピックアップ１００Ａの構成を示す斜視図である。図６に示すように、固定部材６を用いて部材４を直接基台７に取り付けるのではなく、光源１の光軸調整のために保持する調整用保持部材１７に取り付け、基台７に具備する構成としても良い。
【００３８】
さらに上記実施例は基本的な構成であり、本発明の権利の範囲において細部の変更を加え、また従来公知の技術に加えて実施することができるものである。
【００３９】
このように、簡単な構成によって、レーザー光源１から発生する熱を弾性部材５を通して部材４に伝導させ、複数の貫通孔４ｃにより、広い面積にわたって熱を伝導し、さらには固定部材６を通して基台７へと熱を伝導させることができ、光ピックアップを効率よく放熱することができ、熱によるレーザーの閾値ずれといった特性劣化が生じることを防ぐとともにレーザー光源１の寿命をも伸ばすことができる。
【００４０】
以上のように本実施の形態によれば、部材４に形成された複数の貫通穴４ｃの一部を通って部材４の両面に形成された弾性部材５が、光源１から発生した熱を部材４へ伝導するために光源ユニット２の背面２ａに当接するように形成されている。このため、光源１から発生した熱を部材４を通して効率よく放熱することができる。
【図面の簡単な説明】
【００４１】
【図１】実施の形態に係る光ピックアップの構成を示す斜視図である。
【図２】実施の形態に係る光ピックアップの構成を示す分解斜視図である。
【図３】実施の形態に係る光ピックアップに設けられた光学ユニット、放熱板および弾性部材等の構成を示す側面図である。
【図４】実施の形態に係る光ピックアップに設けられた光学ユニットおよび放熱板等の構成を示す斜視図である。
【図５】（ａ）は実施の形態に係る光ピックアップに設けられた放熱板の構成を示す平面図であり、  （ｂ）は実施の形態に係る光ピックアップに設けられた他の放熱板の構成を示す平面図であり、  （ｃ）は実施の形態に係る光ピックアップに設けられたさらに他の放熱板の構成を示す平面図である。
【図６】実施の形態に係る他の光ピックアップの構成を示す斜視図である。
【図７】従来の光ピックアップの構成を示す図
【図８】従来の他の光ピックアップの構成を示す図
【符号の説明】
【００４２】
１，１０１…光源
２，１０４…光源ユニット
２ａ…光源ユニット背面
３…フレキシブルプリント基板
４…部材
４ａ…部材の第一の面
４ｂ…部材の第二の面
４ｃ…部材の複数の貫通孔
５，１０６…弾性部材
６…固定部材
７，１０５…基台
７ａ…基台の面
８…偏向ミラー
９…コリメートレンズ
１０…立ち上げミラー
１１…対物レンズ
１２…対物レンズ駆動装置
１３…保持部材
１３ａ…保持部材の面
１４，１０７…光ビーム
１４ａ…平行光の光ビーム
１５…受光素子
１６…光ピックアップ
１７…調整用保持部材
１０３…ヒートシンク
【図１】
2005078778.tif 000003
【図２】
2005078778.tif 000004
【図３】
2005078778.tif 000005
【図４】
2005078778.tif 000006
【図５】
2005078778.tif 000007
【図６】
2005078778.tif 000008
【図７】
2005078778.tif 000009
【図８】
2005078778.tif 000010